(57)【要約】 【課題】  振動や蓋体との接触により、蓋体が水平溝から外れるようなことが起きないようにした蓋体の閉塞構造を備えた鍋を提供すること。【解決手段】  蓋体４の外縁部にＬ字形状の係止溝１０ｂが形設されると共に、鍋本体の開口端縁２ａ近傍の内面上部には、垂直切込み部１４ａとこれに連続する水平切込み部１４ｂから成る係止溝１０ｂ内を係合状態で移動可能な一対の係止ピン８ｂが設けられ、この係止溝１０ｂの裏面には、弾性変形可能な突起部２０を設けた押え板１６が裏打ちされていて、係止ピン８ｂが外力により水平溝内を移動する際は、係止ピン８ｂが突起部２０を当接により弾性変形させながら乗り越えるようにして蓋体４の閉塞位置をとることができる。【選択図】  図６
2005218482.tif 000002
【特許請求の範囲】
【請求項１】
上面が開口した鍋本体と、この鍋本体の上面に着脱自在に装着されて前記開口を閉塞する蓋体とから成り、前記鍋本体または蓋体の何れか一方の外縁部にＬ字形状の溝が形設され、他方に該Ｌ字形状溝内を移動可能な突起部が設けられた蓋体の閉塞構造を備えた鍋であって、前記Ｌ字形状溝は垂直溝とこれに連続する水平溝から成り、前記Ｌ字形状溝の一側面側には弾性変形可能な板材が裏打ちされ、該板材には前記突起部の水平溝内の移動を阻止する移動阻止体が設けられていて、前記突起部が外力により水平溝内を移動する際は、前記突起部が前記移動阻止体と当接して、前記板材を弾性変形させながら前記移動阻止体を乗り越えることを特徴とする蓋体の閉塞構造を備えた鍋。
【請求項２】
前記板材は前記Ｌ字形状溝の一側面側を被覆するように取り付けられ、前記水平溝に対応する部分の近傍には弾性変形を付与するための切欠溝が形成されている請求項１に記載の蓋体の閉塞構造を備えた鍋。
【請求項３】
前記移動阻止体は球状突起部である請求項１または２に記載の蓋体の閉塞構造を備えた鍋。
【請求項４】
前記Ｌ字形状溝は鍋本体または蓋体の外縁部に等間隔に複数設けられている請求項１ないし３のいずれかに記載の蓋体の閉塞構造を備えた鍋。
【発明の詳細な説明】
【技術分野】
【０００１】
本発明は、上面が開口した鍋本体と、この鍋本体の上面に着脱自在に装着されて前記開口を閉塞する蓋体とから成り、前記鍋本体または蓋体の何れか一方の外縁部にＬ字形状の溝が形設され、他方に該Ｌ字形状溝内を移動可能な突起部が設けられた蓋体の閉塞構造を備えた鍋に関する。
【背景技術】
【０００２】
麺類や野菜等を茹でる場合、鍋本体に水を入れ水が沸騰したら野菜等を入れ、茹で具合を見計らって蓋体で鍋本体の開口を閉鎖して茹で上がりを待つが、蓋体を鍋本体の開口部の所に載せただけでは蓋体を押し上げて煮汁が吹きこぼれる恐れがあり、この吹きこぼれを防止するために蓋体を一時的に鍋本体に対してロックして鍋本体の開口を密閉する必要がある。
【０００３】
このような状況の下に、従来、蓋体の閉塞構造として、例えば鍋本体に垂直溝とこれに連続する水平溝から成るＬ字形状の溝をその外縁部に形成し、蓋体に突起を設け、蓋体をつかんで突起を垂直溝に挿入し、その後蓋体を水平溝に沿って回動することにより、蓋体の上方への移動が拘束され、煮汁による蓋体の押し上げが防止されるものが知られている。（特許文献１参照）。
【０００４】
【特許文献１】登録実用新案第３００６４６９号公報（段落００２６、００２７、第７図）
【発明の開示】
【発明が解決しようとする課題】
【０００５】
しかしながら、従来のこのような蓋体の閉塞構造は、蓋体の回動方向に対する拘束手段がないため、振動や蓋体との接触により、蓋体に設けた突起が水平溝から外れることがあり、煮こぼれを完全に防ぐことができない場合があった。
【０００６】
本発明は、このような状況に鑑みてなされたもので、振動や蓋体との接触により、蓋体が水平溝から外れるようなことが起きないようにした蓋体の閉塞構造を備えた鍋を提供することを目的とする。
【課題を解決するための手段】
【０００７】
上記の目的を解決するために、本発明の請求項１に記載の蓋体の閉塞構造を備えた鍋は、上面が開口した鍋本体と、この鍋本体の上面に着脱自在に装着されて前記開口を閉塞する蓋体とから成り、前記鍋本体または蓋体の何れか一方の外縁部にＬ字形状の溝が形設され、他方に該Ｌ字形状溝内を移動可能な突起部が設けられた蓋体の閉塞構造を備えた鍋であって、前記Ｌ字形状溝は垂直溝とこれに連続する水平溝から成り、前記Ｌ字形状溝の一側面側には弾性変形可能な板材が裏打ちされ、該板材には前記突起部の水平溝内の移動を阻止する移動阻止体が設けられていて、前記突起部が外力により水平溝内を移動する際は、前記突起部が前記移動阻止体と当接して、前記板材を弾性変形させながら前記移動阻止体を乗り越えることを特徴としている。
この特徴によれば、突起部が板材を弾性変形させながら前記移動阻止体を乗り越えるようにして蓋体の閉塞位置をとることができるので、たとえ振動や蓋体との接触があっても蓋体の移動が移動阻止体で阻止され、煮こぼれを完全に防ぐことができ、かつ板材がＬ字形状溝の一側面側を被覆するので、鍋本体内部と外部の連通が遮断できる。
【０００８】
本発明の請求項２に記載の蓋体の閉塞構造を備えた鍋は、請求項１に記載の蓋体の閉塞構造を備えた鍋であって、前記板材の水平溝に対応する部分の近傍には弾性変形を付与するための切欠溝が形成されていることを特徴としている。
この特徴によれば、板材を一部切り欠くだけで弾性変形可能な板材を容易に構成することができる。
【０００９】
本発明の請求項３に記載の蓋体の閉塞構造を備えた鍋は、請求項１または２に記載の蓋体の閉塞構造を備えた鍋であって、前記移動阻止体は球状突起部であることを特徴としている。
この特徴によれば、移動阻止体を球状突起部とすることで、突起部が移動阻止体を乗り越えるときの摩擦抵抗を減じることができる。
【００１０】
本発明の請求項４に記載の蓋体の閉塞構造を備えた鍋は、請求項１ないし３のいずれかに記載の蓋体の閉塞構造を備えた鍋であって、前記Ｌ字形状溝は鍋本体または蓋体の外縁部に等間隔に複数設けられていることを特徴としている。
この特徴によれば、Ｌ字形状溝を鍋本体または蓋体の外縁部に等間隔に複数設けることで、蓋体の閉塞度合いを開口に対し均等に高めることができる。
【発明を実施するための最良の形態】
【００１１】
本発明の実施例を以下に説明する。
【実施例】
【００１２】
本発明の実施例を図面に基づいて説明すると、先ず図1は本発明の実施例における鍋の全体斜視図、図２は蓋体を開放した鍋本体の斜視図、図３は鍋本体を閉塞した蓋体を上面から視た斜視図、図４は蓋体を下方から見上げた状態の斜視図、図５はＬ字形状溝を蓋体の内側から視た部分斜視図、図６はＬ字形状溝を蓋体の外側から視た突起部との関係を示す部分斜視図、図７は鍋本体の内面上部に係止ピンを設けた鍋本体の部分斜視図である。
【００１３】
先ず図1には、本発明の実施例としての鍋１が示されており、この鍋１は、上面が開口し外側面に一対の取手５，５が設けられた鍋本体２と、この鍋本体２の上面に着脱自在に装着されて開口を閉塞する蓋体４とから構成されている。
【００１４】
この鍋本体２は、図２、図７に示すように、例えばステンレス鋼板などに上部が開口する有底円筒体に形成されており外周上部には一対の耐熱被服された取手５，５が設けられ、両取手５，５に対応する鍋本体２の開口端縁２ａ近傍の内面上部には先端にフランジＦを形成した一対の係止ピン８ａ，８ｂが対向し内方に向けて突設している。
【００１５】
図１に示すように蓋体４は、ドーム状に湾曲形成された天板の中央に平面視、楕円形状の摘み６が取り付けられ、蓋体４の外周縁は断面が外方に円弧状の膨出部４ｂを形成すると共に円弧部の下方には膨出部４ｂの直径より僅か小径で垂直下方に延びる筒状スカート部４ａが鍋本体２の開口内面に挿嵌可能に形成されている。
【００１６】
図３、図４に示すように、蓋体４の天板には、麺類や野菜等を茹で終えた後に蓋体４を閉じたままの状態で鍋１を傾斜させることで湯や汁などを排出するための多数の湯切り孔ｈ、Ｈが摘み６を中心として対称位置に配設されており、これら多数の湯切り孔ｈ、Ｈは、蓋体４の天板内面に張付けられた一対の遮蔽板１２ａ，１２ｂの回動により必要領域が開閉可能に構成されており、この遮蔽板１２ａ，１２ｂは、摘み６の周囲に回転可能に支持された操作具７に中心部位で連結している。
【００１７】
更に、蓋体４の筒状スカート部４ａには、蓋体４の中心を挟んで両外側面のほぼ対象位置に一対のＬ字形の係止溝１０ａ，１０ｂが形設されており、これら係止溝１０ａ，１０ｂは、鍋本体２の内面上部に突設した係止ピン８ａ，８ｂと嵌合できるように対設している。
【００１８】
詳しくは、図５、図６に示すように、これらＬ字形の係止溝１０ａ，１０ｂは、筒状スカート部４ａの下端縁から形成される垂直切込み部１４ａと、この垂直切込み部１４ａに連なる同じ回転方向に向く水平切込み部１４ｂとから成り、これら係止溝１０ａ，１０ｂの内側は、筒状スカート部４ａの内側面にスポット溶接等により裏打ちされたバネ性を有するステンレス鋼板などで形成された矩形状の押え板１６によってそれぞれ被覆されている。
【００１９】
押え板１６は、係止溝１０ａ，１０ｂに対応してＬ字形の突出部１７が筒状スカート部４ａの内側に向かって突設するようにプレス成形されており、この突出部１７は、全て係止ピン８ａ，８ｂのフランジＦが内部を移動可能な幅を有している。
【００２０】
係止溝１０ａ，１０ｂの水平切込み部１４ｂに対応する後端近傍のＬ字形の突出部１７には、一対の細長孔１８ａ，１８ｂが切欠き形成されており、これら細長孔１８ａ，１８ｂに挟まれて移動阻止体となる球状山形の突起部２０が突出形成されている。
【００２１】
また、筒状スカート部４ａに形成されるＬ字形の係止溝１０ａ，１０ｂは、押え板１６のＬ字形突出部１７の溝幅より狭く、全てが係止ピン８ａ，８ｂの小径軸部Ｐが通過可能な切込み幅で形成されている。
【００２２】
次に、蓋体４の開閉操作に付き以下説明する。
【００２３】
先ず、鍋本体２の開口を蓋体４により閉塞する際は、鍋本体２の開口内に蓋体４の筒状スカート部４ａを挿入するときに、このスカート部４ａに形成された一対のＬ字形の係止溝１０ａ，１０ｂの垂直切込み部１４ａの挿入口を、鍋本体２の内面の係止ピン８ａ，８ｂに対応させて下降させる。
【００２４】
図６に示すように垂直切込み部１４ａ下端の挿入口１７ａの大きさは両係止ピン８ａ，８ｂのフランジＦを受け入れる幅を有しているので、この蓋体４の下降により、筒状スカート部４ａ上端の膨出部４ｂが鍋本体２の開口端縁２ａに当接することで、両係止ピン８ａ，８ｂは水平切込み部１４ｂの溝幅の略中間部位に位置決めされる。
【００２５】
そこで、蓋体４を上方から見て時計廻りに回転させと、水平切込み部１４ｂが係止ピン８ａ，８ｂの小径軸部Ｐに案内されて後端に突き当るまで回転方向に移動し、係止ピン８ａ，８ｂが水平切込み部１４ｂ後端に突き当る直前に、係止ピン８ａ，８ｂのフランジＦ先端面が山形の突起部２０に当接することで、回転方向に抵抗が生ずる。
【００２６】
この抵抗に抗して、更に蓋体４を強く回転させるとフランジＦ先端面が山形の突起部２０に押圧力を付与し、一対の細長孔１８ａ，１８ｂの切欠き効果により押え板１６の水平切込み部１４ｂに対応する部分が内方に弾性変形し、フランジＦ先端面が突起部２０を乗り越え、水平切込み部１４ｂ後端に当接して停止し、蓋体４の自由な移動を阻止することができる。
【００２７】
このように、突起部２０が、バネ性を有する押え板１６を弾性変形させながら突起部２０を乗り越えるようにして蓋体４の閉塞位置をとることができるので、沸騰などによる蓋体４の上方への移動が拘束されて煮汁による蓋体４の押し上げが防止されるだけでなく、たとえ鍋本体２に振動が生じたり蓋体４が何かと接触しても蓋体４の移動が突起部２０で阻止され、煮こぼれを完全に防ぐことができる。
【００２８】
また、矩形状の押え板１６は、垂直切込み部１４ａと水平切込み部１４ｂとから成るＬ字形状溝の一側面側を被覆するように取り付けられているので、鍋本体２内部と外部の連通を遮断することができ、且つ突出部１７の突起部２０両側に一対の細長孔１８ａ，１８ｂを切欠き形成することで容易に弾性変形可能な構成とすることができる。
【００２９】
更に、山形の突起部２０を球状に形成することで、係止ピン８ａ，８ｂの先端面が突起部２０を乗り越える際の摩擦抵抗を軽減することができる。尚、前述した実施例ではＬ字形の係止溝１０ａ，１０ｂを、蓋体４の中心を挟んで両外側面に配置した例を説明したが、これらＬ字形の係止溝は、２つに限らず鍋本体２または蓋体４の外縁部に等間隔に所定数設けることも可能であり、蓋体４の閉塞度合いを開口に対し均等に高めることができる。
【００３０】
以上、本発明の実施例を図面により説明してきたが、蓋体の両外側面に形設された一対のＬ字形係止溝を鍋本体の内面上部に設けて、蓋体の両外側面にＬ字形係止溝に対応する係止ピンを突設する構成も可能であり、具体的な構成はこれら実施例に限られるものではなく、本発明の要旨を逸脱しない範囲における変更や追加があっても本発明に含まれる。
【図面の簡単な説明】
【００３１】
【図１】本発明の実施例における鍋の全体斜視図である。
【図２】蓋体を開放した鍋本体の斜視図である。
【図３】鍋本体を閉塞した蓋体を上面から視た斜視図
【図４】蓋体を下方から見上げた状態の斜視図である。
【図５】Ｌ字形状溝を蓋体の内側から視た部分斜視図である。
【図６】Ｌ字形状溝を蓋体の外側から視た突起部と係止ピンとの関係を示す部分斜視図である。
【図７】鍋本体の内面上部に係止ピンを設けた鍋本体の部分斜視図である。
【符号の説明】
【００３２】
１                      鍋
２                      鍋本体
２ａ                    開口端縁
４                      蓋体
４ａ                    筒状スカート部
４ｂ                    膨出部
５                      取手
６                      摘み
７                      操作具
８ａ，８ｂ              係止ピン
１０ａ，１０ｂ          係止溝
１２ａ，１２ｂ          遮蔽板
１４ａ                  垂直切込み部
１４ｂ                  水平切込み部
１６                    押え板（裏打ち板材）
１７                    突出部
１７ａ                  挿入口
１８ａ，１８ｂ          細長孔
２０                    突起部
Ｆ                      フランジ
ｈ、Ｈ                  湯切り孔
Ｐ                      小径軸部
【図１】
2005218482.tif 000003
【図２】
2005218482.tif 000004
【図３】
2005218482.tif 000005
【図４】
2005218482.tif 000006
【図５】
2005218482.tif 000007
【図６】
2005218482.tif 000008
【図７】
2005218482.tif 000009